(57)【要約】【課題】本体に対して取付け形態の異なる読取ユニット３３を本体に装着した場合でも、マーキングを確実に視認してレンズの取付け位置を外部から確認することができ、読取ユニットの取付け作業の作業効率が低下するのを防止することができる画像読取装置および画像読取装置を備えた画像形成装置を提供すること。【解決手段】光源３４から原稿面に照射された後、原稿面から反射された反射光を撮像素子３９の結像面に結像させるレンズ３８と、この結像された反射光を電気信号に変換する撮像素子３９と、レンズ３８および撮像素子３９を保持する支持ブラケット４０等からなる固定手段とを備えた読取ユニット３３を有し、撮像素子３９とレンズ３８の間の焦点距離が倍率やＭＴＦ等のレンズ特性の仕様を満たす回転方向の位置になるように、レンズ３８の外周部の反射光の光軸方向に対して対称となる位置にマーキング５１、５２を設ける。【選択図】図５
2007150440.tif 000002
【特許請求の範囲】
【請求項１】
光源から原稿面に照射された後、前記原稿面から反射された反射光を撮像素子の結像面に結像させるレンズと、前記結像された反射光を電気信号に変換する前記撮像素子と、開口部を有し、前記開口部に前記レンズの一部が挿入された状態で前記レンズを保持するとともに、前記レンズと所定の距離を隔てて前記撮像素子を保持して画像読取装置の本体に固定する固定手段とを含んだ読取ユニットを備えた画像読取装置において、
前記レンズの外周部に、前記レンズを前記固定手段に固定する際の前記レンズの取付け位置の目印となる第１識別手段および第２識別手段を設け、
前記第１識別手段および前記第２識別手段は、前記反射光の光軸方向に対して対称となる位置に設けられることを特徴とする画像読取装置。
【請求項２】
前記第１識別手段および前記第２識別手段は、外観上識別可能であることを特徴とする請求項１に記載の画像読取装置。
【請求項３】
前記第２識別手段が、前記レンズを前記固定手段に取付ける際の基準取付け位置に対する実取付け位置のずれ方向を示し、前記ずれ方向は、共役長の設計基準値に対して設定される前記レンズの特性に応じて設定された取付け方向を示すことを特徴とする請求項１または請求項２に記載の画像読取装置。
【請求項４】
前記第２識別手段が、前記レンズを前記固定手段に取付ける際の基準取付け位置に対する実取付け位置のずれ量および方向を示し、前記ずれ量および方向は、共役長の設計基準値に対して設定された前記レンズの特性に応じた数値で表されることを特徴とする請求項１または請求項２に記載の画像読取装置。
【請求項５】
前記第２識別手段が、前記レンズを前記固定手段に取付ける際の基準取付け位置に対する実取付け位置のずれ量および方向を示し、前記ずれ量および方向は、共役長の設計基準値に対して設定された前記レンズの特性に応じた数値が書き込まれたバーコードで表されることを特徴とする請求項１または請求項２に記載の画像読取装置。
【請求項６】
前記第２識別手段が、前記撮像素子の基準取付け位置に対する実取付け位置のずれ方向を示し、前記ずれ方向は、前記レンズと前記撮像素子の像高方向の焦点距離の設計基準値に対して設定された前記レンズの特性に応じた取付け方向を示すことを特徴とする請求項１または請求項２に記載の画像読取装置。
【請求項７】
前記第２識別手段が、前記撮像素子の基準取付け位置に対する実取付け位置のずれ量および方向を示し、前記ずれ量および方向は、前記レンズと前記撮像素子の像高方向の焦点距離の設計基準値に対して設定された前記レンズの特性に応じた焦点距離変化量の数値で表されることを特徴とする請求項１または請求項２に記載の画像読取装置。
【請求項８】
前記第２識別手段が、前記撮像素子の基準取付け位置に対する実取付け位置のずれ量および方向を示し、前記ずれ量および方向は、前記レンズと前記撮像素子の像高方向の焦点距離の設計基準値に対して設定された前記レンズの特性に応じた焦点距離変化量の数値が書き込まれたバーコードで表されることを特徴とする請求項１または請求項２に記載の画像読取装置。
【請求項９】
前記第１識別手段および前記第２識別手段の一方が、前記レンズを前記固定手段に取付ける際の基準取付け位置に対する実取付け位置のずれ方向を示し、前記ずれ方向は、共役長の設計基準値に対して設定される前記レンズの特性に応じた値を表し、
前記第１識別手段および前記第２識別手段の他方が、前記撮像素子の基準取付け位置に対する実取付け位置のずれ方向を示し、前記ずれ方向は、前記レンズと前記撮像素子の像高方向の焦点距離の設計基準値に対して設定された前記レンズの特性に応じた取付け方向を示すことを特徴とする請求項１または請求項２に記載の画像読取装置。
【請求項１０】
前記第１識別手段および前記第２識別手段の一方が、前記レンズを前記固定手段に取付ける際の基準取付け位置に対する実取付け位置のずれ量および方向を示し、前記ずれ量および方向は、共役長の設計基準値に対して設定された前記レンズの特性に応じた数値で表され、
前記第１識別手段および前記第２識別手段の他方が、前記撮像素子の基準取付け位置に対する実取付け位置のずれ量および方向を示し、前記ずれ量および方向は、前記レンズと前記撮像素子の像高方向の焦点距離の設計基準値に対して設定された前記レンズの特性に応じた焦点距離変化量の数値で表されることを特徴とする請求項１または請求項２に記載の画像読取装置。
【請求項１１】
前記第１識別手段および前記第２識別手段の一方が、前記レンズを前記固定手段に取付ける際の基準取付け位置に対する実取付け位置のずれ量および方向を示し、前記ずれ量および方向は、共役長の設計基準値に対して設定された前記レンズの特性に応じた数値が書き込まれたバーコードで表され、
前記第１識別手段および前記第２識別手段の他方が、前記撮像素子の基準取付け位置に対する実取付け位置のずれ量および方向を示し、前記ずれ量および方向は、前記レンズと前記撮像素子の像高方向の焦点距離の設計基準値に対して設定された前記レンズの特性に応じた焦点距離変化量の数値が書き込まれたバーコードで表されることを特徴とする請求項１または請求項２に記載の画像読取装置。
【請求項１２】
前記第１識別手段または第２識別手段の何れか一方は、レンズを前記固定手段に組み付けるときに、鉛直方向上方から視認できる位置に設定されることを特徴とする請求項１〜請求項１０の何れか１項に記載の画像読取装置。
【請求項１３】
前記レンズは、前記第１識別手段の近傍に第１嵌合部を有するとともに、前記第２識別手段の近傍に第２嵌合部を有し、
前記固定手段は、前記レンズを保持するときに、前記第１嵌合部または前記第２嵌合部が嵌合する第３嵌合部を有することを特徴とする請求項１〜請求項１１の何れか１項に記載の画像読取装置。
【請求項１４】
記録媒体に画像を形成する画像形成手段を備えるとともに、請求項１〜請求項１２の何れか１項に記載の画像読取装置を備えたことを特徴とする画像形成装置。
【発明の詳細な説明】
【技術分野】
【０００１】
本発明は、画像読取装置および画像読取装置を備えた画像形成装置に関し、例えば、原稿からの反射光をレンズで集光した後、撮像素子に結像して電気信号に変換するようにしたスキャナ装置等の画像読取装置およびこの画像読取装置を備えたファクシミリ装置、複写機、複合機等の画像形成装置に関する。
【背景技術】
【０００２】
複写機、ファクシミリ装置、複合機等の画像形成装置に備えられた画像読取装置にあっては、光源から原稿面に光を照射し、原稿からの反射光を複数のミラーを介してレンズに入射させ、このレンズによってＣＣＤラインセンサ等の撮像素子に結像して電気信号に変換することにより、原稿を読取るようになっている。
【０００３】
このようなＣＣＤラインセンサを使用した画像読取装置では、主走査方向の読取りはＣＣＤラインセンサの主走査方向に配列された画素によって行い、副走査方向の読取りは原稿を移動させるか、光源やミラー等の光学系を移動させることによって行っている。
【０００４】
一方、画像品質を確保するために、主走査方向および副走査方向のそれぞれの光学特性を確保する必要があり、通常、レンズは主走査と副走査とで特性に差があるため、両方の特性が維持できるように組付け、調整作業を行う必要があるが、そのときに倍率やＭＴＦ（Modulation Transfer Function）等の仕様を満足させるためにＣＣＤラインセンサに対してレンズの光軸方向に対する回転方向の位置を管理する必要がある。
【０００５】
このため、予めレンズ面（光が透過する面）に取付け位置の目印となるマーキングを形成し、このマーキングを目印としてレンズを取付け部に取付けるようにしたものが提案されている（例えば、特許文献１参照）。
【０００６】
この方法を利用してレンズとＣＣＤラインセンサを取付け部に取付けるようにすれば、レンズの光軸方向に対する回転方向の位置を容易に設定してレンズとＣＣＤラインセンサを取付け部に取付けることができ、倍率やＭＴＦ等の仕様を満足させることができる。
【０００７】
以下、このような調整方法を図１７に基づいて具体的に説明する。図１７において、読取ユニットは、画像読取装置の本体に取付けられる支持ブラケット１を備えており、この支持ブラケット１にはレンズ２を保持するレンズブラケット３が取付けられている。
【０００８】
この支持ブラケット１およびレンズブラケット３には開口部３ａが形成されており、この開口部３ａにレンズ２の一部が挿入されている。また、レンズ２は半円状のブラケット３ｂによって保持されており、このブラケット３ｂをボルト３ｃによってレンズブラケット３に固定することにより、レンズ２がレンズブラケット３に固定されている。
【０００９】
また、レンズブラケット３にはＣＣＤブラケット４を介して図示しないＣＣＤラインセンサを備えたＣＣＤ基板５が取付けられている。また、レンズ２のレンズ面（光が透過する面）にはマーキング６が設けられており、このマーキング６はレンズ特性を検査したときに、光軸方向を回転中心とするレンズ２の回転方向の位置が、ＣＣＤラインセンサとレンズ２の間の焦点距離が倍率やＭＴＦ等の仕様を満たす回転方向の位置であるものと判定されたときに、レンズ２の外周部に付けられるものである。
【００１０】
作業者は、マーキング６を上にしてレンズ２をレンズブラケット３に取付けることにより、仕様を満足させる位置でレンズ２をレンズブラケット３に簡単に取付けることができる。
【特許文献１】特開平５−２２４２９３号公報
【発明の開示】
【発明が解決しようとする課題】
【００１１】
しかしながら、このようなレンズの取付け方法にあっては、レンズ２の外周部の１ヶ所にマーキング６を付けているため、レンズ２をレンズブラケット３に組付ける作業を行うときと、組付け作業後の読取ユニットを画像読取装置の本体ユニットに取付けたときとでは、レンズ２の見える部分が異なる場合があり、その場合には、読取ユニットにレンズが正しく組付けられたか否かを確認することが困難となってしまう。
【００１２】
具体的には、図１７に示す状態では、画像読取装置の本体の上方に支持ブラケット１が位置するようにして読取ユニットが本体に取付けられるので、本体に読取ユニットに取付けたままの状態でレンズ２のマーキング６を確認することで、レンズ２が正しい回転方向の位置でレンズブラケット３に装着されていたか否かを確認することができる。
【００１３】
しかしながら、画像読取装置の本体の下方に支持ブラケット１が位置するようにして読取ユニットを本体が取付けられる構成の読取ユニットでは、上下の何れか方向からレンズ２を見てもマーキング６が見えないので、読取ユニットを本体から取り外してレンズ２が正しい回転方向の位置でレンズブラケット３に装着されていたか否かを確認しなければならなかった。このため、読取ユニットの取付け作業の作業効率が悪化してしまうという問題が発生してしまう。
【００１４】
本発明は、従来の問題を解決するためになされたもので、本体に対して取付け形態の異なる読取ユニットを本体に装着した場合でも、マーキングを確実に視認してレンズの取付け位置を外部から確認することができ、読取ユニットの取付け作業の作業効率が低下するのを防止することができる画像読取装置および画像読取装置を備えた画像形成装置を提供することを目的とする。
【課題を解決するための手段】
【００１５】
本発明の画像読取装置は、光源から原稿面に照射された後、前記原稿面から反射された反射光を撮像素子の結像面に結像させるレンズと、前記結像された反射光を電気信号に変換する前記撮像素子と、開口部を有し、前記開口部に前記レンズの一部が挿入された状態で前記レンズを保持するとともに、前記レンズと所定の距離を隔てて前記撮像素子を保持して本体に固定する固定手段とを含んだ読取ユニットを備えた画像読取装置において、前記レンズの外周部に、前記レンズを前記固定手段に固定する際の前記レンズの取付け位置の目印となる第１識別手段および第２識別手段を設け、前記第１識別手段および前記第２識別手段は、前記反射光の光軸方向に対して対称となる位置に設けられるものから構成されている。
【００１６】
この構成により、撮像素子とレンズの間の焦点距離が倍率やＭＴＦ等の仕様を満たす回転方向の位置になるようにレンズの外周部に第１識別手段および第２識別手段を設けることにより、第１識別手段または第２識別手段を目印にして光軸方向を回転中心とするレンズの回転方向の位置を簡単に設定してレンズを固定手段に取付けることができる。このため、レンズ特性に応じた位置でレンズを固定手段に簡単に取付けることができる。
【００１７】
また、第１識別手段および第２識別手段を反射光の光軸方向に対して対称となる位置に設け、レンズの一部を開口部に挿入した状態でレンズを固定手段に取付けたので、本体に対して取付け形態の異なる読取ユニットを本体に取付けた場合であっても、第１識別手段および第２識別手段の何れか一方を外部から確実に視認することができる。
【００１８】
このため、レンズの取付け位置を外部から容易に確認することができ、読取ユニットの取付け作業の作業効率が低下するのを防止することができる。
【００１９】
また、本発明の画像読取装置の前記第１識別手段および前記第２識別手段は、外観上識別可能であるものから構成されている。
【００２０】
この構成により、第１識別手段と第２識別手段の色を異ならせる等して第１識別手段および前記第２識別手段を外観上識別可能にし、例えば、機種の異なる画像読取装置で読取ユニットを共通に使用する場合に、読取ユニットの取付け方向が異なっても同じ色の識別手段を基準にしてレンズを固定手段に取付けることにより、レンズの回転方向の位置を統一してレンズ性能を満たすことが可能となる。
【００２１】
このように本体に対して取付け形態の異なる読取ユニットを本体に取付けた場合であっても、第１識別手段および第２識別手段の何れか一方を外部から確実に視認することができる。
【００２２】
また、本発明の画像読取装置は、前記第２識別手段が、前記レンズを前記固定手段に取付ける際の基準取付け位置に対する実取付け位置のずれ方向を示し、前記ずれ方向は、共役長の設計基準値に対して設定される前記レンズの特性に応じて設定された取付け方向を示すものから構成されている。
【００２３】
その場合、画像ユニットを本体に取付けたときにレンズの位置が共役長の設計基準値と一致するように画像ユニットの取付け位置が予め設定されているため、個々のレンズの実取付け位置が共役長の設計基準値（仕様）を満たす取付け位置になるように調整する必要がある。
【００２４】
このため、レンズを固定手段に取付ける際の基準取付け位置に対する実取付け位置のずれ方向として、共役長の設計基準値に対して設定されるレンズの特性に応じて設定された取付け方向を第２識別手段で表すようにする。
【００２５】
例えば、基準取付け位置から光軸方向に対して一方向にレンズを移動させるような取付け方向を第２識別手段で表すようにすれば、光軸方向に対してレンズを一方向と他方向との間で移動させて倍率調整を行う作業を不要にして、個々のレンズ特性に応じた実取付け位置でレンズを固定手段に取付けることができ、倍率調整作業の作業性を向上させることができる。
【００２６】
また、本発明の画像読取装置は、前記第２識別手段が、前記レンズを前記固定手段に取付ける際の基準取付け位置に対する実取付け位置のずれ量および方向を示し、前記ずれ量および方向は、共役長の設計基準値に対して設定された前記レンズの特性に応じた数値で表されるものから構成されている。
【００２７】
この構成により、レンズを固定手段に取付ける際の基準取付け位置に対する実取付け位置のずれ量および方向として、共役長の設計基準値に対して設定されるレンズの特性に応じて設定されたずれ量および方向を第２識別手段で表すようにすれば、例えば、基準取付け位置から光軸方向に対して一方向にＡｍｍだけレンズを移動させるように第２識別手段で表すようにすれば、光軸方向に対してレンズを一方向と他方向との間で移動させて倍率調整を行う作業を不要にして、個々のレンズ特性に応じた実取付け位置でレンズを固定手段に取付けることができ、倍率調整作業の作業性を向上させることができる。
【００２８】
また、本発明の画像読取装置は、前記第２識別手段が、前記レンズを前記固定手段に取付ける際の基準取付け位置に対する実取付け位置のずれ量および方向を示し、前記ずれ量および方向は、共役長の設計基準値に対して設定された前記レンズの特性に応じた数値が書き込まれたバーコードで表されものから構成されている。
【００２９】
この構成により、レンズを固定手段に取付ける際の基準取付け位置に対する実取付け位置のずれ量および方向として、共役長の設計基準値に対して設定されるレンズの特性に応じて設定されたずれ量および方向を第２識別手段で表すようにすれば、例えば、基準取付け位置から光軸方向に対して一方向にＡｍｍだけレンズを移動させるようにデータが書き込まれたバーコードで第２識別手段を表すようにすれば、バーコードを読取って得られたレンズの移動方向とずれ量に基づいてレンズの取付けを行うことにより、光軸方向に対してレンズを一方向と他方向との間で移動させて倍率調整を行う作業を不要にして、個々のレンズ特性に応じた実取付け位置でレンズを固定手段に取付けることができ、倍率調整作業の作業性を向上させることができる。
【００３０】
また、バーコードを読取ることにより、倍率調整作業に関する情報を組立装置に反映させることができ、倍率調整作業の作業性をより一層向上させることができる。
【００３１】
また、本発明の画像読取装置は、前記第２識別手段が、前記撮像素子の基準取付け位置に対する実取付け位置のずれ方向を示し、前記ずれ方向は、前記レンズと前記撮像素子の像高方向の焦点距離の設計基準値に対して設定された前記レンズの特性に応じた取付け方向を示すものから構成されている。
【００３２】
その場合、レンズを固定手段に取付けた後に撮像素子を固定手段に取付けるときのレンズと撮像素子の像高方向の焦点距離が設計基準値（仕様）と一致するように、レンズに対する撮像素子の取付け位置が予め設定されているため、個々のレンズ特性によりレンズと撮像素子の像高方向の焦点距離を調整する必要がある。
【００３３】
このため、レンズを固定手段に取付ける際の基準取付け位置に対する実取付け位置のずれ方向として、レンズと撮像素子の像高方向の焦点距離の設計基準値に対して設定されたレンズの特性に応じた取付け方向を第２識別手段で表すようにする。
【００３４】
例えば、固定手段に取付けられたレンズに対して、撮像素子を基準取付け位置から光軸方向の一方向に移動させるような取付け方向を第２識別手段で表すようにすれば、光軸方向に対して撮像素子を一方向と他方向との間で移動させてＭＴＦの調整を行う作業を不要にして、個々のレンズ特性に応じた実取付け位置で撮像素子を固定手段に取付けることができ、ＭＴＦ調整作業の作業性を向上させることができる。
【００３５】
また、本発明の画像読取装置は、前記第２識別手段が、前記撮像素子の基準取付け位置に対する実取付け位置のずれ量および方向を示し、前記ずれ量および方向は、前記レンズと前記撮像素子の像高方向の焦点距離の設計基準値に対して設定された前記レンズの特性に応じた焦点距離変化量の数値で表されるものから構成されている。
【００３６】
この構成により、固定手段に取付けられたレンズに対して、撮像素子を基準取付け位置から光軸方向の一方向にＡｍｍ移動させるような取付け方向を第２識別手段で表すようにすれば、光軸方向に対して撮像素子を一方向と他方向との間で移動させてＭＴＦの調整を行う作業を不要にして、個々のレンズ特性に応じた実取付け位置で撮像素子を固定手段に取付けることができ、ＭＴＦ調整作業の作業性を向上させることができる。
【００３７】
また、本発明の画像読取装置は、前記第２識別手段が、前記撮像素子の基準取付け位置に対する実取付け位置のずれ量および方向を示し、前記ずれ量および方向は、前記レンズと前記撮像素子の像高方向の焦点距離の設計基準値に対して設定された前記レンズの特性に応じた焦点距離変化量の数値が書き込まれたバーコードで表されるものから構成されている。
【００３８】
この構成により、固定手段に取付けられたレンズに対して、撮像素子を基準取付け位置から光軸方向の一方向にＡｍｍ移動させるような取付け方向をバーコードに書き込んでおけば、このデータを読取ってレンズと撮像素子の位置を調整することにより、光軸方向に対して撮像素子を一方向と他方向との間で移動させて倍率調整を行う作業を不要にして、個々のレンズ特性に応じた実取付け位置で撮像素子を固定手段に取付けることができ、撮像素子を固定手段に取付ける際のＭＴＦ調整作業の作業性を向上させることができる。
また、バーコードを読取ることにより、ＭＴＦの調整作業に関する情報を組立装置に反映させることができ、ＭＴＦの調整作業の作業性をより一層向上させることができる。
【００３９】
また、本発明の画像読取装置は、前記第１識別手段および前記第２識別手段の一方が、前記レンズを前記固定手段に取付ける際の基準取付け位置に対する実取付け位置のずれ方向を示し、前記ずれ方向は、共役長の設計基準値に対して設定される前記レンズの特性に応じた値を表し、前記第１識別手段および前記第２識別手段の他方が、前記撮像素子の基準取付け位置に対する実取付け位置のずれ方向を示し、前記ずれ方向は、前記レンズと前記撮像素子の像高方向の焦点距離の設計基準値に対して設定された前記レンズの特性に応じた取付け方向を示すものから構成されている。
【００４０】
この構成により、光軸方向に対してレンズや撮像素子を一方向と他方向との間で移動させて倍率調整やＭＴＦの調整を行う作業を不要にして、個々のレンズ特性に応じた実取付け位置でレンズや撮像素子を固定手段に取付けることができ、倍率調整作業およびＭＴＦ調整作業の作業性を向上させることができる。
【００４１】
また、本発明の画像読取装置は、前記第１識別手段および前記第２識別手段の一方が、前記レンズを前記固定手段に取付ける際の基準取付け位置に対する実取付け位置のずれ量および方向を示し、前記ずれ量および方向は、共役長の設計基準値に対して設定された前記レンズの特性に応じた数値で表され、前記第１識別手段および前記第２識別手段の他方が、前記撮像素子の基準取付け位置に対する実取付け位置のずれ量および方向を示し、前記ずれ量および方向は、前記レンズと前記撮像素子の像高方向の焦点距離の設計基準値に対して設定された前記レンズの特性に応じた焦点距離変化量の数値で表されるものから構成されている。
【００４２】
この構成により、光軸方向に対してレンズや撮像素子を一方向と他方向との間で移動させて倍率調整やＭＴＦの調整を行う作業を不要にして、個々のレンズ特性に応じた実取付け位置でレンズや撮像素子を固定手段に取付けることができ、レンズや撮像素子を固定手段に取付ける際の倍率およびＭＴＦ調整作業の作業性を向上させることができる。
【００４３】
また、本発明の画像読取装置は、前記第１識別手段および前記第２識別手段の一方が、前記レンズを前記固定手段に取付ける際の基準取付け位置に対する実取付け位置のずれ量および方向を示し、前記ずれ量および方向は、共役長の設計基準値に対して設定された前記レンズの特性に応じた数値が書き込まれたバーコードで表され、前記第１識別手段および前記第２識別手段の他方が、前記撮像素子の基準取付け位置に対する実取付け位置のずれ量および方向を示し、前記ずれ量および方向は、前記レンズと前記撮像素子の像高方向の焦点距離の設計基準値に対して設定された前記レンズの特性に応じた焦点距離変化量の数値が書き込まれたバーコードで表されるものから構成されている。
【００４４】
この構成により、光軸方向に対してレンズや撮像素子を一方向と他方向との間で移動させてレンズや撮像素子の取付け位置を調整する作業を不要にして、個々のレンズ特性に応じた実取付け位置でレンズや撮像素子を固定手段に取付けることができ、倍率調整作業およびＭＴＦ調整作業の作業性を向上させることができる。
【００４５】
また、バーコードを読取ることにより、倍率調整作業およびＭＴＦの調整作業に関する情報を組立装置に反映させることができ、倍率調整作業およびＭＴＦの調整作業の作業性をより一層向上させることができる。
【００４６】
また、本発明の画像読取装置の前記第１識別手段または第２識別手段の何れか一方は、レンズを前記固定手段に組付けるときに、鉛直方向上方から視認できる位置に設定されるものから構成される。
【００４７】
この構成により、第１識別手段または第２識別手段が鉛直方向上方に向くようにしてレンズを固定手段に取付けることにより、レンズ特性に応じた位置でレンズを固定手段に簡単に位置決めして取付けることができる。
また、共役長の設計基準値や像高方向の焦点距離の設計基準値に対して設定されたレンズの特性に応じた情報を情報から容易に視認することができる。
【００４８】
また、本発明の画像読取装置の前記レンズは、前記第１識別手段の近傍に第１嵌合部を有するとともに、前記第２識別手段の近傍に第２嵌合部を有し、前記固定手段は、前記レンズを保持するときに、前記第１嵌合部または前記第２嵌合部が嵌合する第３嵌合部を有するものから構成されている。
【００４９】
この構成により、レンズを固定手段に取付けるときに、第１嵌合部または第２嵌合部を固定手段の第３嵌合部に嵌合させるので、第１識別手段または第２識別手段を上向きにした状態でレンズを固定部材に簡単に位置決めすることができるとともに、共役長の設計基準値や像高方向の焦点距離の設計基準値に対して設定されたレンズの特性に応じた情報を情報から容易に視認することができる。
【００５０】
また、本発明の画像形成装置は、記録媒体に画像を形成する画像形成手段を備えるとともに、上述した画像読取装置を備えたものから構成されている。
この構成により、本体に対して取付け形態の異なる読取ユニットを本体に装着した場合でも、マーキングを確実に視認してレンズの取付け位置を外部から確認することができ、読取ユニットの取付け作業の作業効率が低下するのを防止することができる画像読取装置および画像読取装置を備えた画像形成装置を提供することができる。
【発明の効果】
【００５１】
本発明は、本体に対して取付け形態の異なる読取ユニットを本体に装着した場合でも、マーキングを確実に視認してレンズの取付け位置を外部から確認することができ、読取ユニットの取付け作業の作業効率が低下するのを防止することができる画像読取装置および画像読取装置を備えた画像形成装置を提供することができる。
【発明を実施するための最良の形態】
【００５２】
以下、本発明の実施の形態について、図面を用いて説明する。
図１〜図６は本発明に係る画像読取装置および画像読取装置を備えた画像形成装置の第１の実施の形態を示す図であり、画像形成装置を複写機に適用した例を示している。なお、画像形成装置としては、複写機に限らず、ファクシミリ装置、複合機等のように画像読取装置を備えたものであれば、如何なるものにも適用可能である。
【００５３】
まず、構成を説明する。図１において、画像形成装置としての複写機１０は、自動原稿搬送装置（以下、単にＡＤＦという）１１、給紙部１２、画像読取部（画像読取装置）１３および画像形成部（画像形成手段）１４を備えている。
【００５４】
ＡＤＦ１１は、原稿トレイに１６に載置された原稿を給紙ローラや分離ローラ等の各種ローラからなる分離給紙手段１７によってコンタクトガラス１５上に搬送し、読取りが終了した原稿を搬送ベルト１８によってコンタクトガラス１５上から搬出した後、各種排紙ローラからなる排紙手段１９によって排紙トレイ２０に排紙する。
【００５５】
また、原稿の両面を読取る場合には、排紙手段１９に設けられた分岐機構および搬送ベルト１８によって原稿をコンタクトガラス１５上に返送して未読取面の読取りを行うようになっている。
【００５６】
給紙部１２は、異なるサイズの記録紙を収納する給紙カセット２１ａ、２１ｂと、給紙カセット２１ａ、２１ｂに収納された記録紙を画像形成位置まで搬送する各種ローラからなる給紙手段２２とを備えている。
【００５７】
また、画像読取部（画像読取装置）１３は、第１走行体３１、第２走行体３２および読取ユニット３３を備えており、詳しくは後述するが、コンタクトガラス１５上に搬送される原稿を読取る際には、第１走行体３１および第２走行体をコンタクトガラス１５側の左下方に固定し、コンタクトカラス１５上に載置された原稿を読取る際には、第１走行体３１および第２走行体をコンタクトガラス１５の下方で図１中、左右方向に移動させるようになっている。
【００５８】
画像形成部１４は、読取ユニット３３に取り込まれた読取信号に基づいて書き込み信号を形成する露光装置２３と、露光装置２３によって生成された書き込み信号が表面に形成される複数の感光体ドラム２４と、異なる色のトナーが充填され、各感光体ドラム２４に異なる色のトナーを供給して書き込み信号を可視像化させる現像装置２５と、感光体ドラム２４上に形成された可視像が重ねられて転写されることによりカラー画像が形成され、このカラー画像を給紙部１２から給紙された記録紙に転写する転写ベルト２６と、記録紙に定着されたカラー画像を記録紙に定着する定着装置２７とを備えている。
【００５９】
また、第１走行体３１の内部には光源３４および第１ミラー３５が装着されている。光源３４はハロゲンランプ等から構成されており、コンタクトガラス１５を通過する原稿またはコンタクトガラス１５に載置された原稿を照射するようになっている。第１ミラー３５は図１中、手前側と奥側の両端部が第１走行体３１に支持されており、原稿面から反射された光が入射するようになっている。
【００６０】
また、第２走行体３２には第２ミラー３６および第３ミラー３７が装着されており、この第２ミラー３６および第３ミラー３７は図１中、手前側と奥側の両端部が第２走行体３２に支持され、第１ミラー３５から反射された光を第２ミラー３６、第３ミラー３７の順に反射するようになっている。
【００６１】
また、読取ユニット３３には、レンズ３８と、走査方向に複数の素子面が配列されたＣＣＤラインセンサ等の撮像素子３９とが装着されており、第３ミラー３７から反射された光はレンズ３８によって集光された後、撮像素子３９に結像されて原稿面の画像データに応じたアナログ画像信号に変換されるようになっている。
【００６２】
また、第１走行体３１および第２走行体３２には図示しない公知の駆動機構のワイヤが取付けられているとともに、画像読取部１３の本体の一部を構成する走行レールに摺動自在に取付けられており、ワイヤは画像読取部１３の図１中、左右に延在している。
【００６３】
コンタクトガラス１５上に載置された原稿の読取り行う場合には、複写機１０の図示しないホストコンピュ−タから送られてくる１ライン毎の画像読取要求の信号に応じて、駆動機構を駆動することにより、ワイヤを図１中、左右方向に移動させることにより、第１走行体３１および第２走行体３２がそれぞれ２：１の速度で原稿面に沿って移動しながら光源３４からコンタクトガラス１５上の原稿面に光を照射させるようになっている。
【００６４】
このため、原稿面が副走査方向に光学的に走査され、この反射光は第１ミラー３５、第２ミラー３６、第３ミラー３７の順に反射された後、レンズ３８を通して撮像素子３９の素子面に結像されることにより、原稿面が読取られる。
【００６５】
図２、図３は読取ユニット３３の構成図である。図２、図３において、平板状の支持ブラケット４０は板金部材から構成されており、この支持ブラケット４０は画像形成部１３の走行レールにボルト等によって取付けられている。なお、この走行レールには上述したように第１走行体３１および第２走行体３２が摺動自在に取付けられている。
【００６６】
支持ブラケット４０には板金部材として黒色鋼板から構成された第１保持ブラケット４１が取付けられており、この第１保持ブラケット４１は４つのボルト４２ａ、４２ｂによって支持ブラケット４０に締結されている。
【００６７】
また、支持ブラケット４０および第１保持ブラケット４１にはそれぞれ同一面積を有する開口部４０ａ、４１ａが形成されており、レンズ３８は一部分が開口部４０ａ、４１ａに挿入された状態で半円状のブラケット４３に強固に挟持されるようにして保持されている。このブラケット４３の両端部はボルト４３ａによって第１保持ブラケット４１に固定されており、レンズ３８はブラケット４３によって第１保持ブラケット４１に構成されている。
【００６８】
なお、支持ブラケット４０および第１保持ブラケット４１の何れか一方には反射光の光軸方向に延在する長穴が形成されるとともに、支持ブラケット４０および第１保持ブラケット４１の何れか他方には丸穴が形成されており、この長穴と丸穴にボルト４２ａ、４２ｂを取付けてボルト４２ａ、４２ｂを図示しないナットで締結することにより、支持ブラケット４０および第１保持ブラケット４１を光軸方向に移動させて支持ブラケット４０および第１保持ブラケット４１を締結することができる。
【００６９】
また、第１保持ブラケット４１に対して光軸方向一端部には、板金部材として黒色鋼板からなるからなる第２保持ブラケット４４が取付けられており、この第２保持ブラケット４４はボルト４５ａ、４５ｂによって第１保持ブラケット４１に取付けられている。  
また、第２保持ブラケット４４には撮像素子３９を保持する回路基板４６が取付けられており、回路基板４６ａはボルト５０ａ、５０ｂによって第２保持ブラケット４４に固定され、撮像素子３９はレンズ３８に対して光軸方向に所定距離隔てて対向している。
【００７０】
なお、第２保持ブラケット４４および回路基板４６の何れか一方には光軸方向に延在する長穴が形成されるとともに、第２保持ブラケット４４および回路基板４６の何れか他方には丸穴が形成されており、この長穴と丸穴にボルト５０ａ、５０ｂを取付けてボルト５０ａ、５０ｂを図示しないナットで締結することにより、第２保持ブラケット４４および回路基板４６を光軸方向に移動させて第２保持ブラケット４４および回路基板４６を締結することができる。
【００７１】
なお、本実施の形態では、支持ブラケット４０、第１保持ブラケット４１、ブラケット４３および第２保持ブラケット４４がレンズ３８および撮像素子３９を保持して本体に取付けるための固定手段を構成している。
【００７２】
また、回路基板４６はアナログ／デジタル変換器、２値化回路、多値化回路、階調処理回路、変倍処理回路、編集処理回路等を備えており、撮像素子３９によってアナログ信号に変換された原稿の読取データをアナログ／デジタル変換器によりデジタル画像信号に変換し、２値化処理、多値化処理、階調処理、変倍処理、編集処理を行って生成された画像データを画像形成部１４に送信するようになっている。
【００７３】
一方、図４に示すようにレンズ３８の外周部にはマーキング（第１識別手段）５１およびマーキング（第２識別手段）５２が設けられており、このマーキング５１、５２はレンズ３８を第１保持ブラケット４１に固定する際のレンズ３８の取付け位置の目印となるものである。
【００７４】
このマーキング５１、５２は光軸方向に対して対称、すなわち、１８０°隔てた位置に設けられており、それぞれ青色や赤色等で色分けすることにより、外観上識別可能になっている。
【００７５】
このマーキング５１、５２はレンズ３８や撮像素子３９を読取ユニット３３に組付けるときに、倍率やＭＴＦ等のレンズ特性を保証する位置に設けられており、レンズ特性を検査する工程でレンズ３８にマーキングされるものである。そして、レンズ３８を第１保持ブラケット４１に取付けるときに、鉛直方向上方から視認できる回転方向の位置になるように設定され、この回転方向の位置にレンズ３８を取付けるとレンズ特性が設計基準値（仕様）を満たすことができる。
【００７６】
このような構成を有する読取ユニット３３にあっては、ブラケット４３によりマーキング５２が上側に向くようにしてレンズ３８を保持して、ブラケット４３をボルト４３ａで第１保持ブラケット４１に固定することにより、レンズ３８を第１保持ブラケット４１に固定する。
【００７７】
次いで、図示しない組立装置によりレンズ３８の取付け位置が共役長（原稿面から撮像素子までの距離）の設計基準値となる位置に位置決めして第１保持ブラケット４１をボルト４２ａ、４２ｂによって支持ブラケット４１に固定する。
【００７８】
次いで、第１保持ブラケット４１に第２保持ブラケット４４を仮位置決めし、レンズ３８と撮像素子３９の間の像高方向の焦点距離を調整した後、ボルト５０ａ、５０ｂにより回路基板４６を第２保持ブラケット４４に固定する。次いで、支持ブラケット４０をボルト等によってレールに取付ける。このとき、読取ユニット３３を上方からレールに取付けるので、レンズ特性を満たす正常な回転方向の位置でレンズ３８の取付けが行われたか否かを、上方からマーキング５１を視認することで読取ユニット３３をレールに取付けた状態で確認することができる。
【００７９】
このように本実施の形態では、撮像素子３９とレンズ３８の間の焦点距離が倍率やＭＴＦ等のレンズ特性の仕様を満たす回転方向の位置になるように、レンズ３８の外周部の反射光の光軸方向に対して対称となる位置にマーキング５１、５２を設けることにより、マーキング５１またはマーキング５２を目印にして光軸方向を回転中心とするレンズ３８の回転方向の位置を簡単に設定してレンズ３８を第１保持ブラケット４１を介して支持ブラケット４０に取付けることができる。このため、レンズ特性に応じた位置でレンズ３８を第１保持部材４１を介して支持ブラケット４０に簡単に取付けることができる。
【００８０】
一方、複写機１０の機種によっては図５、図６に示すように読取ユニット３３を下方からレールに取付ける場合がある。この場合には、レンズ３８がレールに遮蔽されるため、レンズ３８を外部から目視することができない。
【００８１】
本実施の形態では、マーキング５１、５２を光軸方向に対して対称に設け、レンズ３８の一部が開口部４０ａ、４１ａに挿入された状態でレンズ３８を第１保持ブラケット４１に取付けたので、読取ユニット３３をレールに取付けた状態でレンズ３８の直下に位置するマーキング５２を目視することにより、読取ユニット３３を走行レールから取り外すことなしに、レンズ特性を満たす正常な回転方向の位置でレンズ３８の取付けが行われたか否かを確認することができ、読取ユニット３３の取付け作業の作業効率が低下するのを防止することができる。
【００８２】
また、レンズ３８を第１保持ブラケット４１に取付けるときに、鉛直方向上方から視認できる位置にマーキング５１またはマーキング５２を設定したので、レンズ特性に応じた位置でレンズ３８を第１保持ブラケット４１に簡単に位置決めして取付けることができる。
【００８３】
また、本実施の形態では、マーキング５１およびマーキング５２を色分けする等によって外観上識別可能にしたので、機種の異なる複写機１０で読取ユニット３３を共通に使用する場合に、読取ユニット３３の取付け方向が異なっても同じ色のマーキング５１またはマーキング５２を基準にしてレンズ３８を第１保持ブラケット４１に取付けることにより、レンズ３８の回転方向の位置を統一してレンズ性能を満たすことが可能となる。
【００８４】
このように本体に対して取付け形態の異なる読取ユニットを本体に取付けた場合であっても、マーキング５１またはマーキング５２を外部から確実に視認することができる。
具体的には、複写機１０では、原稿のセット基準が主走査方向の一方側、例えば、図１中、コンタクトガラス１５の奥側に偏っていることが多い。これはコンタクトガラス１５上に原稿を容易にセットできるからである。
【００８５】
この場合に様々なサイズの原稿が使用されることを考えると、基準側の画質を優先させた方が良く、レンズ３８の両端（光軸方向の中心軸を挟んだ左右方向）の特性を比較して、より特性の良い方が基準側に来るように読取ユニット３３に組付けた方が良い。
【００８６】
レンズ３８を光軸方向の中心軸に対して対称に配置しても基本的には、同等の特性が得られるが画像の両端部で特性に差があった場合には、読取ユニット３３の光学特性は異なってくる。
【００８７】
ある機種で開発したレンズ３８を別の機種でも共通使用する場合、複写機の構成によって、組付け、調整が逆になることもあるため、光軸方向の中心軸に対して対称方向も含めてレンズ３８の回転方向の位置を合わせる必要がある。本実施の形態で示すように、マーキング５１、５２を外観上識別可能にしておけば、機種によって組付け、調整方向が変わってもレンズ３８の向きを一方のマーキングを基準にして統一することができるのである。
【００８８】
図７〜図９は本発明に係る画像読取装置および画像読取装置を備えた画像形成装置の第２の実施の形態を示す図である。なお、本実施の形態では、第１の実施の形態とレンズの構成が異なるのみであるため、第１の実施の形態で用いた図面も参照して説明を行う。
【００８９】
図７において、レンズ３８の外周部にはマーキング（第１識別手段）６１およびマーキング（第２識別手段）６２が設けられており、マーキング６１、６２は光軸方向に対して対称の位置に設けられている。
【００９０】
マーキング６１は例えば、所定の色で表されており、マーキング６２は記号や数字で表されている。具体的には、マーキング６２は、レンズ３８を第１保持ブラケット４１を介して支持ブラケット４０に取付ける際の基準取付け位置に対する実取付け位置のずれ方向を示し、このずれ方向は、共役長の設計基準値に対して設定されるレンズ３８の特性に応じて設定された取付け方向を示している。
【００９１】
例えば、共役長の設計基準値が４００ｍｍであるものとする。なお、この設計基準値は、原稿面からレンズ３８の実取付け位置までの距離と定義する。また、支持ブラケット４０は共役長の設計基準値に応じた位置で走行レールに取付けられるようになっているため、この支持ブラケット４０に対して第１保持ブラケット４１の取付け位置を調整することにより、レンズ特性に応じてレンズ３８の実取付け位置が決定される。
【００９２】
共役長の設計基準値が４００ｍｍであるものとすると、この共役長に対して検査されたレンズ特性が短め（レンズ３８の取付け位置が原稿面側に近くなる）、中央（設計基準値と一致）、長め（レンズ３８の取付け位置が原稿面から遠くなる）という３種類の情報をそれぞれ"−"、"０"、"＋"という記号で表し、この記号をマーキング６２として用いる。
【００９３】
例えば、マーキング６２が"−"であるとマーキング６２を上にしてレンズ３８を第１保持ブラケット４１に装着して、第１保持ブラケット４１と支持ブラケット４０の位置を調整する際に、組立装置に"−"と入力する。
【００９４】
ここで、通常は、共役長の設計基準値と一致する基準取付け位置にレンズか３８が位置するようにすれば、レンズ特性を満たすようにレンズ３８の組付けを行うことができるが、レンズ３８の製造ばらつき等によって基準取付け位置に取付けるように調整作業を行うと、レンズ特性を満たすようにしてレンズ３８を組付けることができない。
【００９５】
本実施の形態では、組立装置に"−"と入力してそのレンズ３８の特性に応じた位置になるようにレンズ３８の組付け位置を調整する。すなわち、レンズ３８の取付け位置が原稿面側に近くなるように基準取付け位置から第１保持ブラケット４１を一方向に移動させるようにして第１保持ブラケット４１と支持ブラケット４０の位置を調整して、レンズ特性に応じた実取付け位置で第１保持ブラケット４１を支持ブラケット４０に取付ける。
【００９６】
このように基準取付け位置から光軸方向に対して一方向にレンズを移動させるような取付け方向をマーキング６２で表すようにすれば、光軸方向に対してレンズ３８を一方向と他方向との間で移動させて倍率調整を行う作業を不要にして、個々のレンズ特性に応じた実取付け位置でレンズ３８を第１保持ブラケット４１を介して支持ブラケット４０に取付けることができ、倍率調整作業の作業性を向上させることができる。
【００９７】
なお、本実施の形態では、マーキング６２に基準取付け位置に対する実取付け位置のずれ方向を示し、このずれ方向を共役長の設計基準値に対して設定されるレンズ３８の特性に応じて設定された取付け方向として設定しているが、図８に示すように、レンズ３８を第１保持ブラケット４１を介して支持ブラケット４０に取付ける際の基準取付け位置に対する実取付け位置のずれ量および方向を示すマーキング６３を設け、このマーキング６３により、共役長の設計基準値に対して設定されたレンズの特性に応じた数値でずれ量および方向を表すようにしても良い。
【００９８】
すなわち、図８に示すようにマーキング６３を"−１"を表すと、レンズの共役長が３９９ｍｍでレンズ３８の取付け位置が原稿面側に近いものであると判断することができる。
【００９９】
この数値を組立装置に入力すると、組立装置は基準取付け位置から第１保持ブラケット４１を一方向に１ｍｍだけ移動させるようにして第１保持ブラケット４１と支持ブラケット４０の位置を調整して、レンズ特性に応じた実取付け位置で第１保持ブラケット４１を支持ブラケット４０に取付けることができる。
また、逆にマーキング６３を"＋１"を表すと、レンズの共役長が４０１ｍｍでレンズ３８の取付け位置が原稿面から遠いものであると判断することができる。
【０１００】
この数値を組立装置に入力すると、組立装置は基準取付け位置から第１保持ブラケット４１を他方向に１ｍｍだけ移動させるようにして第１保持ブラケット４１と支持ブラケット４０の位置を調整して、レンズ特性に応じた実取付け位置で第１保持ブラケット４１を支持ブラケット４０に取付けることができる。
【０１０１】
このようにすれば、光軸方向に対してレンズ３８を一方向と他方向との間で移動させて倍率調整を行う作業を不要にして、個々のレンズ特性に応じた実取付け位置でレンズ３８を第１保持ブラケット４１を介して支持ブラケット４０に取付けることができ、倍率調整作業の作業性をより一層向上させることができる。
【０１０２】
また、図９に示すようにマーキング（第２識別手段）６４を、実取付け位置からのずれ量と方向を書き込んだバーコードから構成しても良い。この場合には、バーコードを読取って得られたレンズの移動方向とずれ量に基づいてレンズ３８の取付けを行うことにより、光軸方向に対してレンズ３８を一方向と他方向との間で移動させて倍率調整を行う作業を不要にして、個々のレンズ特性に応じた実取付け位置でレンズ３８を第１保持ブラケット４１を介して支持ブラケット４０に取付けることができ、倍率調整作業の作業性を向上させることができる。
【０１０３】
また、バーコードを読取ることにより、倍率調整作業に関する情報を組立装置に反映させることができ、倍率調整作業の作業性をより一層向上させることができる。
【０１０４】
なお、本実施の形態でも、マーキング６２、６３、６４が走行レールに遮蔽されて外部から見えない場合でも下側のマーキング６２の目視することができるので、レンズ特性を満たす正常な回転方向の位置でレンズ３８の取付けが行われたか否かを確実に確認することができる。
【０１０５】
図１０〜図１４は本発明に係る画像読取装置および画像読取装置を備えた画像形成装置の第３の実施の形態を示す図である。なお、本実施の形態では、第１の実施の形態とレンズの構成が異なるのみであるため、第１の実施の形態で用いた図面も参照して説明を行う。
【０１０６】
図１０において、レンズ３８の外周部にはマーキング（第２識別手段）６５およびマーキング（第２識別手段）６６が設けられており、マーキング６５、６６は光軸方向に対して対称の位置に設けられている。
【０１０７】
マーキング６５は例えば、所定の色で表されており、マーキング６６は記号や数字で表されている。具体的には、マーキング６６は、撮像素子３９の基準取付け位置に対する実取付け位置のずれ方向を示し、このずれ方向は、レンズ３８と撮像素子３９の像高方向の焦点距離の設計基準値に対して設定されたレンズ３８の特性に応じた取付け方向を示している。
【０１０８】
具体的には、像高方向の焦点距離の変化量とは、撮像素子３９の主走査方向の中央と端部での焦点距離の差のことである。最もピントの合う位置、すなわち、ＭＴＦが最大となる位置が画像上のどの位置でも同じであることが理想だが、図１１（ａ）に示すように現実にはバラツキがあり、画像端部の焦点位置が中央より手前（以下、アンダーと呼ぶ、図１１（ｂ）参照））であったり、奥（以下、オーバーと呼ぶ）であったりする。
【０１０９】
例えば、アンダーの場合には、像面が撮像素子３９の画像中央部で最もピントが合う（ＭＴＦが最大）位置よりレンズ３８に近い位置の方が、撮像素子３９の端部とのバランスを考えた上では好ましい。また、オーバーの場合は、この逆である。
【０１１０】
このような点からレンズ３８のアンダーオーバー特性がレンズに表示されていると、中央部でＭＴＦが最大となるとなる位置から像面をどちらの方向に移動させるべきかを容易に推測できるようにすれば、調整効率が良くなる。
【０１１１】
本実施の形態では、画像端部でＭＴＦ最大となる像面位置が、画像中央部でＭＴＦ最大となる位置よりレンズ３８側に近いアンダー場合には"−"と表現し、レンズ３８側から遠いオーバー場合には"＋"と表現し、この記号を焦点距離の変化量の方向を表す情報としてマーキング６６で表し、基準取付け位置からレンズ特性に応じた焦点距離の変化量を補正した実取付け位置の目安とする。
【０１１２】
そして、組立装置で第１保持ブラケット４１に第２保持ブラケット４４を取付ける際に、レンズ３８と撮像素子３９との像高方向の焦点距離（ＭＴＦ）調整する際に、組立装置の入力手段に"＋"または"−"を入力することにより、撮像素子３９の基準取付け位置からの方向を一方向に調整することにより、回路基板４６を第２保持ブラケット４４に取付ける。
【０１１３】
ここで、ＭＴＦの調整作業時には上側にマーキング６６が見えるようにレンズ３８の組付けを行うが、レンズ３８の組付け時とＭＴＦの調整時で方向が異なる場合は、レンズ３８の組付け時は、マーキング６５が上側に来るようにして組付けを行った後に、マーキング６６が見える方向でＭＴＦの調整作業を行う。
【０１１４】
このように本実施の形態では、第１保持ブラケット４１に取付けられたレンズ３８に対して、撮像素子３９を基準取付け位置から光軸方向の一方向に移動させるような取付け方向をマーキング６６で表すので、光軸方向に対して撮像素子３９を一方向と他方向との間で移動させて倍率調整を行う作業を不要にして、個々のレンズ特性に応じた実取付け位置で撮像素子３９を第１保持ブラケット４１に取付けることができ、ＭＴＦ調整作業の作業性を向上させることができる。
【０１１５】
なお、マーキング６６にＭＴＦ調整作業時に方向を表すようにしたものに限らず、図１２に示すように撮像素子３９の基準取付け位置に対する実取付け位置のずれ量および方向をマーキング（第２識別手段）６７で表し、このマーキング６７により、ずれ量および方向として、レンズ３８と撮像素子３９の像高方向の焦点距離の設計基準値に対して設定されたレンズの特性に応じた焦点距離の変化量を数値で表すようにしても良い。
【０１１６】
具体的には、画像端部でＭＴＦ最大となる像面位置が、画像中央部でＭＴＦ最大となる位置よりレンズ３８側に０．０５ｍｍ近いアンダー場合には"−０．０５ｍｍ"と表現し、レンズ３８側から０．０５ｍｍ遠いオーバー場合には"＋０．０５ｍｍ"と表現し、この記号を焦点距離の変化量の方向を表す情報としてマーキング６７で表し、基準取付け位置からレンズ特性に応じた焦点距離の変化量を補正した実取付け位置の目安とする。
【０１１７】
このようにしても、光軸方向に対して撮像素子３９を一方向と他方向との間で移動させて倍率調整を行う作業を不要にして、個々のレンズ特性に応じた実取付け位置で撮像素子３９を第１保持ブラケット４１を介して支持ブラケット４０に取付けることができ、ＭＴＦ調整作業の作業性を向上させることができる。
【０１１８】
また、図１３に示すように、マーキング（第２識別手段）６８を、実取付け位置からのずれ量と方向を書き込んだバーコードから構成しても良い。この場合には、バーコードを読取って得られた撮像素子３９の移動方向とずれ量に基づいてレンズ３８の取付けを行うことにより、光軸方向に対してレンズ３８を一方向と他方向との間で移動させてＭＴＦの調整を行う作業を不要にして、個々のレンズ特性に応じた実取付け位置で撮像素子３９を第１保持ブラケット４１を介して支持ブラケット４０に取付けることができ、ＭＴＦの調整作業の作業性を向上させることができる。
また、バーコードを読取ることにより、ＭＴＦの調整作業に関する情報を組立装置に反映させることができ、倍率調整作業の作業性をより一層向上させることができる。
【０１１９】
なお、本実施の形態でも、マーキング６６、６７、６８が走行レールに遮蔽されて外部から見えない場合でも下側のマーキング６５の目視することができるので、レンズ特性を満たす正常な回転方向の位置でレンズ３８の取付けが行われたか否かを確実に確認することができる。
【０１２０】
図１４、図１５は本発明に係る画像読取装置および画像読取装置を備えた画像形成装置の第４の実施の形態を示す図である。なお、本実施の形態では、第１の実施の形態とレンズの構成が異なるのみであるため、第１の実施の形態で用いた図面も参照して説明を行う。
【０１２１】
図１４において、レンズ３８の外周部には光軸方向と対称となる位置にマーキング６９、７０が設けられている。なお、マーキング６９、７０の何れか一方は、共役長の設計基準値に対して設定されるレンズ３８の特性に応じて設定されたずれ方向または、ずれ方向とずれ量（図１４ではずれ方向を示す）とを表し、マーキング６９、７０の何れか他方は、レンズ３８と撮像素子３９の像高方向の焦点距離の設計基準値に対して設定されたレンズの特性に応じた取付け方向またはレンズ３８と撮像素子３９の像高方向の焦点距離の設計基準値に対して設定されたレンズの特性に応じた焦点距離の変化量を数値（図１４では取付け方向を示す）で表したものである。
【０１２２】
このようにすれば、光軸方向に対してレンズ３８や撮像素子３９を一方向と他方向との間で移動させて倍率調整やＭＴＦの調整を行う作業を不要にして、個々のレンズ特性に応じた実取付け位置でレンズ３８や撮像素子３９を第１保持ブラケット４１を介して支持ブラケット４０に取付けることができ、倍率調整作業およびＭＴＦ調整作業の作業性を向上させることができる。
【０１２３】
なお、図１５に示すようにレンズ３８の外周部には光軸方向と対称となる位置にマーキング７１、７２を設け、マーキング７１、７２の何れか一方を、共役長の設計基準値に対して設定されるレンズ３８の特性に応じて設定されたずれ方向または、ずれ方向とずれ量とを表すバーコードから構成し、マーキング７１、７２の何れか他方を、レンズ３８と撮像素子３９の像高方向の焦点距離の設計基準値に対して設定されたレンズの特性に応じた取付け方向またはレンズ３８と撮像素子３９の像高方向の焦点距離の設計基準値に対して設定されたレンズの特性に応じた焦点距離の変化量を数値で表したバーコードで構成しても良い。
【０１２４】
このようにしても、光軸方向に対してレンズ３８や撮像素子３９を一方向と他方向との間で移動させて倍率調整やＭＴＦの調整を行う作業を不要にして、個々のレンズ特性に応じた実取付け位置でレンズ３８や撮像素子３９を第１保持ブラケット４１を介して支持ブラケット４０に取付けることができ、倍率調整作業およびＭＴＦ調整作業の作業性を向上させることができる。
【０１２５】
これに加えて、バーコードを読取ることにより、倍率調整作業に関する情報を組立装置に反映させることができ、倍率調整作業の作業性をより一層向上させることができる。
【０１２６】
図１６は本発明に係る画像読取装置および画像読取装置を備えた画像形成装置の第５の実施の形態を示す図であり、第１〜第４の実施の形態と同様の構成には同一番号を説明を省略する。
【０１２７】
図１６は、レンズ３８とブラケット４３の要部構成部であり、マーキング８３、８４の近傍にはそれぞれ突起（第１嵌合部）８１、突起（第２嵌合部）８２が設けられている。なお、マーキング８３、８４は第１〜第４の実施の形態で説明した何れの情報を表したものから構成される。
【０１２８】
また、ブラケット４３の上部内周面には突起８１、突起８２に嵌合する図示しない嵌合溝（第３嵌合部）が設けられており、ブラケット４３によってレンズ３８を第１保持ブラケット４１に取付けるときには、突起８１または突起８２の何れか一方が嵌合溝に係合するようになっている。
【０１２９】
このようにすれば、レンズ３８をブラケット４３で保持して第１保持ブラケット４１に取付けるときに、マーキング８３またはマーキング８４を上向きにした状態でレンズ３８を第１保持ブラケット４１に簡単に位置決めすることができるとともに、共役長の設計基準値や像高方向の焦点距離の設計基準値に対して設定されたレンズの特性に応じた情報を情報から容易に視認することができる。
【産業上の利用可能性】
【０１３０】
以上のように、本発明に係る画像読取装置および画像読取装置を備えた画像形成装置は、本体に対して取付け形態の異なる読取ユニットを本体に装着した場合でも、マーキングを確実に視認してレンズの取付け位置を外部から確認することができ、読取ユニットの取付け作業の作業効率が低下するのを防止することができるという効果を有し、原稿からの反射光をレンズで集光した後、撮像素子に結像して電気信号に変換するようにしたスキャナ装置等の画像読取装置およびこの画像読取装置を備えたファクシミリ装置、複写機、複合機等の画像形成装置等として有用である。
【図面の簡単な説明】
【０１３１】
【図１】本発明の第１の実施の形態に係る画像形成装置の概略構成図
【図２】本発明の第１の実施の形態に係る画像形成装置の読取ユニットの斜視図
【図３】本発明の第１の実施の形態に係る画像形成装置の読取ユニットの正面図
【図４】本発明の第１の実施の形態に係る画像形成装置の読取ユニットの他の形状の斜視図
【図５】本発明の第１の実施の形態に係る画像形成装置の読取ユニットの他の形状の正面図
【図６】本発明の第１の実施の形態に係る画像形成装置の読取ユニットのレンズの斜視図
【図７】本発明の第２の実施の形態に係る画像読取装置の読取ユニットのレンズの斜視図
【図８】本発明の第２の実施の形態に係る画像読取装置の読取ユニットのマーキングの異なるレンズの斜視図
【図９】本発明の第２の実施の形態に係る画像読取装置の読取ユニットのマーキングの異なるレンズの斜視図
【図１０】本発明の第２の実施の形態に係る画像読取装置の読取ユニットのレンズの斜視図
【図１１】（ａ）は本発明の第２の実施の形態に係る画像読取装置のレンズおよびＣＣＤの距離とＭＴＦとの関係を示す図、（ｂ）はレンズおよびＣＣＤの距離とＭＴＦとの関係におけるアンダー量を示す図
【図１２】本発明の第３の実施の形態に係る画像読取装置の読取ユニットのマーキングの異なるレンズの斜視図
【図１３】本発明の第２の実施の形態に係る画像読取装置の読取ユニットのマーキングの異なるレンズの斜視図
【図１４】本発明の第４の実施の形態に係る画像読取装置の読取ユニットのレンズの斜視図
【図１５】本発明の第４の実施の形態に係る画像読取装置の読取ユニットのマーキングの異なるレンズの斜視図
【図１６】本発明の第５の実施の形態に係る画像読取装置の読取ユニットの要部構成図
【図１７】従来の読取ユニットの斜視図
【符号の説明】
【０１３２】
１０  複写機（画像形成装置）
１３  画像読取部（画像読取装置）
１４  画像形成部（画像形成手段）
３３  読取ユニット
３４  光源
３８  レンズ
４０  支持ブラケット（固定手段）
４１  第１保持ブラケット（固定手段）
４１ａ  開口部
４３  ブラケット（固定手段）
４４  第２保持ブラケット（固定手段）
５１、５２、６１、６２、６３、６４、６５、６６、６７、６８、６９、７０、７１
７２、８３、８４  マーキング
８１  突起（第１嵌合部）
８２  突起（第２嵌合部）
【図１】
2007150440.tif 000003
【図２】
2007150440.tif 000004
【図３】
2007150440.tif 000005
【図４】
2007150440.tif 000006
【図５】
2007150440.tif 000007
【図６】
2007150440.tif 000008
【図７】
2007150440.tif 000009
【図８】
2007150440.tif 000010
【図９】
2007150440.tif 000011
【図１０】
2007150440.tif 000012
【図１１】
2007150440.tif 000013
【図１２】
2007150440.tif 000014
【図１３】
2007150440.tif 000015
【図１４】
2007150440.tif 000016
【図１５】
2007150440.tif 000017
【図１６】
2007150440.tif 000018
【図１７】
2007150440.tif 000019